(57)【特許請求の範囲】
【請求項１】
多数収容した電子部品を電子部品実装機へ順次送り出す電子部品供給装置にあって、
機枠と、この機枠に設けて前記電子部品実装機における係止部に対して着脱自在な取付部と、前記機枠に設けて前記係止部と前記取付部との結合を行なう固定手段と、この固定手段に接続させて該固定手段による結合の緊締と解除とを行なう操作手段とを備えさせ、
前記操作手段は、前記機枠に回動自在に取り付けられて機枠の上面に対して出没する操作部材を有し、
前記操作部材は、電子部品供給作業時には埋没状態とされ、かつ機枠の上面に対して突出する突出状態においては機枠の全体を吊持し得る把持部になることを特徴とする電子部品供給装置。
【請求項２】
多数収容した電子部品を電子部品実装機へ順次送り出す電子部品供給装置にあって、機枠と、この機枠に設けて前記電子部品実装機における係止部に対して着脱自在な取付部と、前記機枠に設けて前記係止部と前記取付部との結合を行なう固定手段と、この固定手段に接続させて該固定手段による結合の緊締と解除とを行なう操作手段とを備えさせ、
前記固定手段は、機枠において中間部を支軸により揺動自在に取り付けて、その一端に、電子部品実装機における係止部へ係合して挾持する押体を有する着脱部材と、この着脱部材の他端に設けて、常時は前記押体が前記係止部に係合するように付勢される弾機とからなり、
前記操作手段は、前記機枠へ回動自在に取り付けられ、該機枠上面に対して選択的に埋没または突出される操作部材と、この操作部材の他端と前記着脱部材の他端とに軸支して該操作部材の回動作動により前記着脱部材を操作する連杆とからなることを特徴とする電子部品供給装置。
【請求項３】
操作手段における操作部材が機枠上面からの埋没状態である時は、固定手段の係止部と取付部とが緊締状態であることを特徴とする請求項１または２記載の電子部品供給装置。
【発明の詳細な説明】
【０００１】
【産業上の利用分野】
本発明は、電子部品実装機に対してその着脱操作を簡単かつ確実に行なうことができる電子部品供給装置に関する。
【０００２】
【従来の技術】
現今、電子部品をプリント基板上に装着する電子部品実装機にあって、この電子部品実装機への電子部品の供給は、該電子部品を所定ピッチで多数収容してテープリールに巻き付けられたテーピング部材が利用されることが一般的で、プリント基板への電子部品の供給効率等を高めるために、図５に示すように、前記した電子部品供給装置Ａは、電子部品実装機Ｆの一側または両側に多数組並設された状態で設けられている。
【０００３】
この電子部品供給装置は、前記テーピング部材が空になると電子部品実装機Ｆから取り外して、該テーピング部材の新しいものと付け替えた後、再び電子部品実装機Ｆへ設置していた。
【０００４】
従来、図６に示すような、電子部品供給装置６０の付け替えに際しては、機枠６１の後部に設けた取っ手６２に手を掛けて、上方へ持ち上げるようにして全体を支持していた。
【０００５】
しかし、この電子部品供給装置６０は、前記したように電子部品実装機Ｆへ隙間なく隣り合わせて並べ設けてあるので、この取っ手６２に手を入れる隙間も極めてわずかであって、手を差し入れることができないため、取っ手６２を掴むことが難しく、また、手に十分な力が入らず、電子部品供給装置６０の支持を確実に行なえなくて、電子部品供給装置６０を下方へ落として破損させたり、作業者が怪我をしたりするおそれがあり、また、電子部品実装機Ｆへの取り付けに際して、取付部６３に対する位置合わせが甚だ困難で面倒であった。
【０００６】
更に、取付部６３へ固着するためのクランプ機構６４の操作も隣り合う供給機６０との間に十分な隙間がないから、思うような操作が行なえなかった。
【０００７】
更に、取付部６３へ固着するためのクランプ機構６４と、電子部品供給機６０の着脱操作を行なう機構とが別々に構成されているので、これら機構を構成する部材の部品点数が多くなって、構造が複雑となるばかりか、狭ピッチで多数取り付ける電子部品供給機６０の構成部材が一層突出するようになり、より多くの供給機６０の取り付けができない。
等の様々な問題点を有するものであった。
【０００８】
【発明が解決しようとする課題】
本発明は前記した問題点を解決するためになされたもので、機枠に、電子部品実装機における係止部へ着脱自在な取付部と、前記係止部と前記取付部との結合を行なう固定手段とを設けて、この固定手段に該固定手段による結合の緊締と解除とを行なう操作手段を接続させてあって、この操作手段における操作部材は、機枠の全体を吊持し得る把持部であることにより、電子部品実装機に対して狭ピッチで可及的に多数の電子部品供給装置を取り付けることができ、その着脱操作も簡単かつ迅速に行なうことができる電子部品供給装置を提供することを目的としている。
【０００９】
【課題を解決するための手段】
前記した目的を達成するための本発明の手段は、多数収容した電子部品を電子部品実装機へ順次送り出す電子部品供給装置にあって、
機枠と、この機枠に設けて前記電子部品実装機における係止部に対して着脱自在な取付部と、前記機枠に設けて前記係止部と前記取付部との結合を行なう固定手段と、この固定手段に接続させて該固定手段による結合の緊締と解除とを行なう操作手段とを備えさせ、
前記操作手段は、前記機枠に回動自在に取り付けられて機枠の上面に対して出没する操作部材を有し、
前記操作部材は、電子部品供給作業時には埋没状態とされ、かつ機枠の上面に対して突出する突出状態においては機枠の全体を吊持し得る把持部になる電子部品供給装置の構成にある。
【００１０】
そして、
多数収容した電子部品を電子部品実装機へ順次送り出す電子部品供給装置にあって、
機枠と、この機枠に設けて前記電子部品実装機における係止部に対して着脱自在な取付部と、前記機枠に設けて前記係止部と前記取付部との結合を行なう固定手段と、この固定手段に接続させて該固定手段による結合の緊締と解除とを行なう操作手段とを備えさせ、
前記固定手段は、機枠において中間部を支軸により揺動自在に取り付けて、その一端に、電子部品実装機における係止部へ係合して挾持する押体を有する着脱部材と、この着脱部材の他端に設けて、常時は前記押体が前記係止部に係合するように付勢される弾機とからなり、
前記操作手段は、前記機枠へ回動自在に取り付けられ、該機枠上面に対して選択的に埋没または突出させる操作部材と、この操作部材の他端と前記着脱部材の他端とに軸支して該操作部材の回動作動により前記着脱部材を操作する連杆とからなる電子部品供給装置の構成にある。
【００１２】
更に、
操作手段における操作部材の機枠上面からの埋没状態は、該操作手段が係止部と取付部との緊締状態である。
【００１３】
【実施例】
次に、本発明に関する電子部品供給装置の実施の一例を図面に基づいて説明する。
【００１４】
図１〜図５においてＡは電子部品供給装置で、図１に示すように、電子部品ｂをプリント基板上に装着する電子部品実装機Ｆにおいて、電子部品ｂを所定ピッチで多数収容してテープリールｅに巻き付けられたテーピング部材ｔを、機枠１へ繰り出し自在に取り付けてあって、この装置Ａは、プリント基板への電子部品ｂの供給効率等を高めるために、電子部品実装機Ｆの一側または両側に多数組並設された状態で設けられている。
【００１５】
そして、その構成は、機枠１と、取付部２と、固定手段３と、操作手段４とよりなる。
【００１６】
このうち、前記した取付部２は、機枠１に設けて電子部品実装機Ｆにおける係止部５へ機枠１を着脱自在に対応させるもので、ピン状に形成してあって、係止部５である受孔に挿嵌させることで位置決めがなされる。
【００１７】
前記した固定手段３は、機枠１に設けて係止部５と取付部２との結合を行なうもので、その着脱部材６は、中間部を支軸７により上下方向へ揺動自在に取り付けて、その一端に、電子部品実装機Ｆにおける係止部５の係止受け段部５ａへ係合して挾持する押体８を形成してある。
【００１８】
そして、この着脱部材６の他端には、常時は、押体８が係止受け段部５ａに係合するように付勢される弾機９を連係させてある。
【００１９】
前記した操作手段４は、固定手段３に接続させて該固定手段３による係止部５と取付部２との結合の緊締と解除とを行なう。
【００２０】
その構成は、機枠１へ回動軸１０により該機枠１上面に対して埋没状態と、機枠１上面に対して突出状態とを選択的で回動自在に取り付けた操作部材１１と、着脱部材６の他端と操作部材１１の一端とに軸１２，１３により連結して、該操作部材１１の回動作動により着脱部材６を操作する連杆１４とからなる。
【００２１】
この操作部材１１は、機枠１上面からの突出状態で、なおかつ、図４（ｂ）に示すように、略起立状態となることで、機枠１全体を吊持する際の把持部（ハンドル）となるものであり、機枠１への回動軸１０の取付位置が、この機枠１の前後方向略中間位置に設けることで、吊持したときの機枠１のバランスが良好となる。
【００２２】
そして、操作部材１１の一端部に突出部１８を、また、その他端部には指掛け孔１５を設けてある。
【００２３】
これにより、該操作部材１１が、図３に示すように、機枠１上面より埋没状態にあるとき、まず、操作部材１１の突出部１８を、図４（ａ）において示す矢印ｐ’方向へ指で押すことにより、回動軸１０を中心としてこの操作部材１１を少し機枠１上面上方へ引き上げ、次に、突出して上方に臨んだ該指掛け孔１５を指で持ち、図４（ａ）のように把持が可能な状態になる角度θ１までこの操作部材１１を引き上げて、更に、該操作部材１１を回動させつつ引き上げることにより、図４（ｂ）のような略起立状態になる。
【００２４】
更に、軸１３は、連杆１４に設けた長孔１６へ摺動自在となるように係合させてある。
【００２５】
また、機枠１の外側部には、所定形状にくり抜いた手持ち孔１７を設けてあって、操作部材１１との二点支持によれば、機枠１の保持が一層安定的に行なわれる。
【００２６】
したがって、前記のように構成される本発明実施例の電子部品供給装置Ａは、電子部品実装機Ｆへの取り付けに際しては、操作手段４における操作部材１１を上方へ引き上げて、図４（ｂ）に示すように、該操作部材１１を略起立状態θ２にすることで、操作部材１１の先端部に設けた軸１３が長孔１６を介して連杆１４を押し下げつつ回動するので、固定手段３における着脱部材６が支軸７を中心として回動し、図４（ｂ）に示すように、その押体８が係止部５の係止受け段部５ａ上方の干渉しない位置に移動する。
【００２７】
このとき、操作部材１１を略起立状態にすることによって軸１３は、図４（ｂ）において、回動軸１０と軸１２とを結んだ線ｐ−ｐ上より外方（図においては右方）に移動するため、弾機９の引っ張り力が着脱部材６を介して、該着脱部材６へ軸１２によって接続された連杆１４および軸１３，操作部材１１に伝達されるため、この操作部材１１の略起立状態の固定を維持することができ、しかも、着脱部材６の妄動も防止できる。
【００２８】
この状態から、操作部材１１と手持ち孔１７とを持って（操作部材１１のみでも可）機枠１全体を保持し、電子部品実装機Ｆにおける係止部５へ取付部２を対応させて、操作部材１１を弾機９の引っ張り力に抗して機枠１側へ押し倒すと、これに相応して、弾機９の引っ張り力と相俟って、軸１３および連杆１４，軸１２を介して着脱部材６が支軸７を中心として回動し、その押体８を下方へ押し下げる。
【００２９】
そのため、図４（ａ）に示すように、該押体８が係止部５の係止受け段部５ａに係合することで、機枠１の、図４（ｂ）において矢印ｘ方向への移動が規制され、装置Ａが電子部品実装機Ｆに対して正しく位置決めされて緊締状態に固着される。
【００３０】
したがって、この状態で、電子部品供給装置Ａは、電子部品実装機Ｆへの通常の取り付けがなされて直ちに電子部品ｂの供給を行なえるものであるが、操作部材１１が機枠１上面よりθ１の角度分突出しているから、更に、この操作部材１１を押し下げると、図３に示すように、機枠１の上面から埋没してその突出がなくなる。
【００３１】
これにより、電子部品供給装置Ａに対する様々な作動に対してこの操作部材１１が邪魔にならない。
【００３２】
また、電子部品供給装置Ａの取り外し時は、隣り合う機枠１，１の間に指を差し入れ、操作部材１１の突出部１８を、図４（ａ）において示す矢印ｐ’方向へ指で押し、更に、指掛け孔１５に指を掛けて上方へ引き上げることで、図４（ａ）に示すように、この該操作部材１１が所定角度θ１分機枠１上面から突出するから、手で十分に該操作部材１１を把持し得る状態となる。
【００３３】
このとき、該操作部材１１が回動操作されても、その回動移動量は連杆１４の長孔１６内において吸収されるので、該連杆１４および着脱部材６にはその力が作用しないため、固定手段３は緊締状態を維持し続けるから、この時点では電子部品供給装置Ａは妄動しない。
【００３４】
こうして、十分に電子部品供給装置Ａを支持できる状態となれば、操作部材１１を更に回動してθ２の角度となる略起立位置にすることで、固定手段３における着脱部材６の押体８が係止部５の係止受け段部５ａから外れる。
【００３５】
すなわち、操作部材１１を持って引き上げれば、電子部品供給装置Ａは円滑に吊持される。
【００３６】
したがって、本発明実施例は、操作手段４における操作部材１１の機枠１の上面からの突出状態は、係止部５と取付部２との結合は維持させて、機枠１吊持のための把持が可能な回動位置にある状態と、機枠１を吊持する略起立位置にある状態との二つの状態がある。
【００３７】
更に、操作手段４における操作部材１１の機枠１上面からの埋没状態は、該操作手段４が係止部５と取付部２との緊締状態にある。
【００３８】
【発明の効果】
前述したように本発明の電子部品供給装置は、各部材等を取り付けた機枠の側部に必要以上の突部がなくなって、電子部品実装機に対して狭ピッチで多数組据えるけることができ、より多くの電子部品の供給が可能となる。
【００３９】
装置の電子部品実装機への着脱に際して、機枠上面に対して操作部材を出没自在とすることで、通常の電子部品供給作業時に邪魔にならない。
【００４０】
電子部品実装機への電子部品供給装置の固着作動と、その吊持操作とを、操作部材を兼用使用することにより、電子部品供給装置の電子部品実装機への着脱に際して、一連的な動作流れで行なうことができて、作業性が向上すると共に、装置の構成が簡略化され一層装置の狭ピッチ取り付けに対して良好となる。
等の格別な効果を奏するものである。
【図面の簡単な説明】
【図１】本発明に関する電子部品供給装置を示す正面図である。
【図２】図１における装置の要部を示す平面図である。
【図３】図１における装置の作動状態を示すもので、緊締状態を示す説明図である。
【図４】図１における装置の作動状態を示すもので、緊締状態から解除状態を示す説明図である。
【図５】図１における装置を取り付けた電子部品実装機を示す外観斜視図である。
【図６】従来の電子部品供給装置の取付状態を示す説明図である。
【符号の説明】
ｂ      電子部品
Ａ      電子部品供給装置
Ｆ      電子部品実装機
Ｇ      電子部品供給機
１      機枠
２      取付部
３      固定手段
４      操作手段
５      係止部
６      着脱部材
７      支軸
８      押体
９      弾機
１１    操作部材
１２，１３  軸
１４    連杆
【図１】
0003863272.tif 000002
【図２】
0003863272.tif 000003
【図３】
0003863272.tif 000004
【図４】
0003863272.tif 000005
【図５】
0003863272.tif 000006
【図６】
0003863272.tif 000007